【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
車両に取り付けられた車載機によって、車両センサ情報を取得し、該車両センサ情報を無線通信網を介して、センター装置に送信し、前記車両センサ情報をもとにエコドライブを行うためのアドバイスを生成し、該アドバイスを端末に送信するエコドライブ診断システムであって、
前記車載機は、
車両センサが取得した前記車両センサ情報を収集する車両センサ情報収集手段と、
該車両センサ情報収集手段が収集した前記車両センサ情報を、前記無線通信網を介して、前記センター装置に送信する車両センサ情報送信手段とを有し、
前記センター装置は、
前記車両センサ情報を受信する車両センサ情報送受信手段と、
該車両センサ情報送受信手段で受信した前記車両センサ情報から、エコドライブを行うためのアドバイスを生成するエコドライブアドバイス生成手段と、
該エコドライブアドバイス生成手段で生成した前記アドバイスを端末に送信するアドバイス送信手段とを有し、
前記端末は、
前記アドバイスを受信するアドバイス受信手段と、
該アドバイス受信手段で受信した前記アドバイスを表示するアドバイス表示手段とを有することを特徴とする、エコドライブ診断システム。
【請求項２】
車両に取り付けられた車載機によって、車両センサ情報を取得し、該車両センサ情報を無線通信網を介して、センター装置に送信し、前記車両センサ情報をもとにエコドライブを行うためのアドバイスを生成し、該アドバイスを利用者の端末に送信するエコドライブ診断システムであって、
前記車載機は、
前記車両センサが取得したエンジン回転数、燃料使用量、車両速度、車両位置情報、時刻情報の車両センサ情報を収集し、データ加工を行う車両センサ情報収集部と、
該車両センサ情報収集部が収集した前記車両センサ情報を、前記無線通信網を介して、前記センター装置に送信し前記センター装置からの情報を受信する無線通信端末とを有し、
前記センター装置は、
前記無線通信端末との間で情報の送受信を行う通信制御装置と、
前記無線通信端末から送信された情報を管理し、それら情報をもとに各車両における燃料消費量や、排出する温暖化ガスや環境汚染物質の量を算出する機能を有し、それら算出された情報は、利用者情報と共にデータベースに格納し、該データベースに格納されている情報を引き出し、診断・アドバイスを行うためのコンテンツを加工する機能を有する管理サーバと、
前記アドバイスをネットワーク網を介して前記利用者の端末に対して配信するメールサーバと、
前記アドバイスを前記ネットワーク網を介して前記利用者の端末から提供を受けることができるＷｅｂサーバとを有し、
前記利用者の端末は、
前記アドバイスを受信するアドバイス受信部と、
該アドバイス受信部で受信した前記アドバイスを表示するアドバイス表示部と、
該アドバイス受信部で受信した前記アドバイスを音声で伝達するアドバイス音声伝達部とを有し、
個人情報やアドバイス配信のタイミング、内容の設定を行う、携帯端末またはＰＣであることを特徴とする、エコドライブ診断システム。
【請求項３】
請求項１または請求項２に記載のエコドライブ診断システムであって、
前記センター装置は、
前記アドバイスによって削減される燃料消費量を算出する削減量算出手段と、
該削減量算出手段で算出した削減燃料消費量から報酬額を算出する報酬額算出手段とを有することを特徴とする、エコドライブ診断システム。
【請求項４】
請求項１または請求項２に記載のエコドライブ診断システムであって、
前記センター装置は、
前記アドバイスによって削減される温室効果ガスや大気汚染物質の排出量を算出する削減量算出手段と、
該削減量算出手段で算出した削減される温室効果ガスや大気汚染物質の排出量から報酬額を算出する報酬額算出手段とを有することを特徴とする、エコドライブ診断システム。
【請求項５】
請求項１または請求項２に記載のエコドライブ診断システムであって、
前記センター装置は、
前記アドバイスによって複数車両の走行実績データをもとに、燃料消費量や温室効果ガスや大気汚染物質の排出量の走行ルートごとの違いを把握し、燃料消費量や温室効果ガスや大気汚染物質の排出量の少ない走行ルートを割り出すエコドライブルート算出手段と、
該エコドライブルート算出手段で算出したサービス対価から報酬額を算出する報酬額算出手段とを有することを特徴とする、エコドライブ診断システム。
【請求項６】
請求項１または請求項に記載のエコドライブ診断システムであって、
前記センター装置は、
前記アドバイスによって排出される温室効果ガスや大気汚染物質の排出量を算出する排出量算出手段と、
該排出量算出手段で算出した排出される温室効果ガスや大気汚染物質の排出量からその排出量が有料道路の排出規定値を下回った場合に通行料金の割り引き額を算出し、上回った場合にペナルティ料金額を算出する算出手段とを有することを特徴とする、エコドライブ診断システム。
【請求項７】
車両に取り付けられた車載機によって、車両センサ情報を取得し、該車両センサ情報を無線通信網を介して、センター装置に送信し、前記車両センサ情報をもとにエコドライブを行うためのアドバイスを生成し、該アドバイスを端末に送信するエコドライブ診断方法であって、
前記車載機により、
車両センサが取得した前記車両センサ情報を収集し、
収集した前記車両センサ情報を、前記無線通信網を介して、前記センター装置に送信する段階と、
前記センター装置により、
前記車両センサ情報を受信し、
受信した前記車両センサ情報から、エコドライブを行うためのアドバイスを生成し、
生成した前記アドバイスを端末に送信する段階と、
前記端末により、
前記アドバイスを受信し、
受信した前記アドバイスを表示する段階とを有することを特徴とする、エコドライブ診断方法。
【請求項８】
車両に取り付けられた車載機によって、車両センサ情報を取得し、該車両センサ情報を無線通信網を介して、センター装置に送信し、前記車両センサ情報をもとにエコドライブを行うためのアドバイスを生成し、該アドバイスを利用者の端末に送信するエコドライブ診断方法であって、
前記車載機により、
前記車両センサが取得したエンジン回転数、燃料使用量、車両速度、車両位置情報、時刻情報の車両センサ情報を収集し、データ加工を行い、
収集した前記車両センサ情報を、前記無線通信網を介して、無線通信端末により前記センター装置に送信し前記センター装置からの情報を受信する段階と、
前記センター装置により、
前記無線通信端末との間で情報の送受信を行い、
前記無線通信端末から送信された情報を管理し、それら情報をもとに各車両における燃料消費量や、排出する温暖化ガスや環境汚染物質の量を算出し、それら算出された情報は、利用者情報と共にデータベースに格納し、該データベースに格納されている情報を引き出し、診断・アドバイスを行うためのコンテンツを加工し、
前記アドバイスをメールサーバからネットワーク網を介して前記利用者の端末に対して配信し、
前記アドバイスをＷｅｂサーバから前記ネットワーク網を介して前記利用者の端末から提供を受ける段階と、
前記利用者の端末により、
前記アドバイスを受信し、
受信した前記アドバイスを表示し、
受信した前記アドバイスを音声で伝達し、
個人情報やアドバイス配信のタイミング、内容の設定を行う段階とを有することを特徴とする、エコドライブ診断方法。
【請求項９】
請求項７または請求項８に記載のエコドライブ診断方法であって、
前記センター装置により、
前記アドバイスによって削減される燃料消費量を算出し、
算出した削減燃料消費量から報酬額を算出する段階を有することを特徴とする、エコドライブ診断方法。
【請求項１０】
車両に取り付けられた車載機によって、取得された車両センサ情報を無線通信網を介して受信し、前記車両センサ情報をもとにエコドライブを行うためのアドバイスを生成し、該アドバイスを端末に送信するためのエコドライブ診断システムが備えるセンター装置であって、
前記車両センサ情報を受信する車両センサ情報送受信手段と、
該車両センサ情報送受信手段で受信した前記車両センサ情報から、エコドライブを行うためのアドバイスを生成するエコドライブアドバイス生成手段と、
該エコドライブアドバイス生成手段で生成した前記アドバイスを端末に表示するために送信するアドバイス送信手段とを有することを特徴とする、センター装置。
【請求項１１】
車両に取り付けられた車載機によって、取得された車両センサ情報を無線通信網を介して受信し、前記車両センサ情報をもとにエコドライブを行うためのアドバイスを生成し、該アドバイスを端末に送信するためのエコドライブ診断システムが備えるセンター装置であって、
前記車載機の車両センサが取得したエンジン回転数、燃料使用量、車両速度、車両位置情報、時刻情報の車両センサ情報を、前記無線通信網を介して受信し、前記車載機の無線通信端末との間で情報の送受信を行う通信制御装置と、
前記無線通信端末から送信された情報を管理し、それら情報をもとに各車両における燃料消費量や、排出する温暖化ガスや環境汚染物質の量を算出する機能を有し、それら算出された情報は、利用者情報と共にデータベースに格納し、該データベースに格納されている情報を引き出し、診断・アドバイスを行うためのコンテンツを加工する機能を有する管理サーバと、
前記アドバイスをネットワーク網を介して前記利用者の端末において表示し又は音声で伝達するために配信するメールサーバと、
前記アドバイスを前記ネットワーク網を介して前記利用者の端末から提供を受けることができるＷｅｂサーバとを有することを特徴とする、センター装置。
【請求項１２】
請求項１０または請求項１１に記載のセンター装置であって、
前記センター装置は、
前記アドバイスによって削減される燃料消費量を算出する削減量算出手段と、
該削減量算出手段で算出した削減燃料消費量から報酬額を算出する報酬額算出手段とを有することを特徴とする、センター装置。
【請求項１３】
車両に取り付けられた車載機によって、取得された車両センサ情報を無線通信網を介して受信し、前記車両センサ情報をもとにエコドライブを行うためのアドバイスを生成し、該アドバイスを端末に送信するためのエコドライブ診断システムが備えるセンター装置のプログラムであって、
コンピュータを、
前記車両センサ情報を受信する車両センサ情報送受信手段と、
該車両センサ情報送受信手段で受信した前記車両センサ情報から、エコドライブを行うためのアドバイスを生成するエコドライブアドバイス生成手段と、
該エコドライブアドバイス生成手段で生成した前記アドバイスを端末に表示するために送信するアドバイス送信手段として機能させることを特徴とする、センター装置のプログラム。
【請求項１４】
車両に取り付けられた車載機によって、取得された車両センサ情報を無線通信網を介して受信し、前記車両センサ情報をもとにエコドライブを行うためのアドバイスを生成し、該アドバイスを端末に送信するためのエコドライブ診断システムが備えるセンター装置のプログラムであって、
コンピュータを、
前記車載機の車両センサが取得したエンジン回転数、燃料使用量、車両速度、車両位置情報、時刻情報の車両センサ情報を、前記無線通信網を介して受信し、前記車載機の無線通信端末との間で情報の送受信を行う通信制御装置と、
前記無線通信端末から送信された情報を管理し、それら情報をもとに各車両における燃料消費量や、排出する温暖化ガスや環境汚染物質の量を算出する機能を有し、それら算出された情報は、利用者情報と共にデータベースに格納し、該データベースに格納されている情報を引き出し、診断・アドバイスを行うためのコンテンツを加工する機能を有する管理サーバと、
前記アドバイスをネットワーク網を介して前記利用者の端末において表示し又は音声で伝達するために配信するメールサーバと、
前記アドバイスを前記ネットワーク網を介して前記利用者の端末から提供を受けることができるＷｅｂサーバとして機能させることを特徴とする、センター装置のプログラム。
【請求項１５】
請求項１３または請求項１４に記載のセンター装置のプログラムであって、
コンピュータを、
前記アドバイスによって削減される燃料消費量を算出する削減量算出手段と、
該削減量算出手段で算出した削減燃料消費量から報酬額を算出する報酬額算出手段として機能させることを特徴とする、センター装置のプログラム。